(57)【要約】【課題】  転送データの信号処理回数を減らすと共に転送回数を減らしてデータ転送に必要な消費電力を削減する。【解決手段】  送信側の画素分離部５２によって転送データを分離して、上位部分データにおいて同じ値が連続する比率を高める。また、符号化器５３によって同じ値が連続する上位部分データの情報を、その部分データ値と、これに連続するデータ個数の組情報として生成して、転送データ数を減らす。上位ビットの部分データは、転送回数が少なくなり、下位ビットの部分データよりも早く送出が完了するため、転送データ合成部５７によって、下位ビットの部分データを、転送が完了した上位ビットの部分データの転送に用いられる伝送線を用いて転送することにより、１ライン分の画像データの転送回数全体を減らす。【選択図】  図３
2006163201.tif 000002
【特許請求の範囲】
【請求項１】
複数ビットの転送データを伝送線を介して送信部から受信部に転送するデータ転送装置において、
該送信部は、
該転送データ毎に少なくとも上位ビットと下位ビットの各部分データに分離するデータ分離手段と、
連続する各転送データの上位部分データに対して、同じ転送データが連続している場合に、その連続データ部分を部分データ値とその連続個数に変換する符号化手段と、
該各部分データに関する情報を合成して該伝送線に送出転送データを送出し、該上位部分データの送出が完了した場合に、まだデータ送出が完了していない他の部分データを、該他の部分データが通常使用される伝送線と該上位部分データの伝送線を同時に用いて該送出転送データを送出するデータ合成手段とを有するデータ転送装置。
【請求項２】
前記データ分離手段は、前記転送データを、前記上位部分データと下位部分データの二つまたは、該上位部分データ、中位部分データおよび該下位部分データの三つに分離する請求項１に記載のデータ転送装置。
【請求項３】
前記データ分離手段は、前記分離した各部分データは同じビット数である請求項２に記載のデータ転送装置。
【請求項４】
前記符号化手段は、
前記部分データ値を格納する内部メモリと、前記連続個数を格納する内部カウンタとを有し、前記データ分離手段から受け取った部分データ値を該内部メモリに保存した部分データ値と比較して、その比較結果が異なる場合には該内部メモリに保存した部分データ値と該内部カウンタのカウンタ値を組にして出力すると共に、該内部メモリに該受け取った部分データ値を保存し、該比較結果が同じ場合には該内部カウンタのカウンタ値に「１」を加える加算処理を行う請求項１に記載のデータ転送装置。
【請求項５】
前記データ合成手段は、
前記転送データが通常使用される伝送線によって送出される場合、該転送データが前記部分データ値と連続個数である場合、およびデータ送出が完了していない部分データが通常使用される伝送線と、該データ送出が完了した部分データの伝送線とを同時に用いて送出される場合のいずれであるかを示す転送付加情報を生成して前記送出転送データと共に送出する請求項１に記載のデータ転送装置。
【請求項６】
前記受信部は、
前記送出転送データを受信した受信データを複数の部分データに分離し、前記上位部分データの受信が完了した場合に、データ受信がまだ完了していない他の部分データを、該他の部分データが通常使用される伝送線と該上位部分データの伝送線を同時に用いて受信して、前記連続する各転送データの部分データに対して、前記部分データ値とその連続個数が含まれている場合に、同じ上位部分データを、該連続個数分だけ発生させて該上位部分データを合成する復号化手段を有する請求項１または５に記載のデータ転送装置。
【請求項７】
前記復号化手段は、
前記転送付加情報によって、前記転送データが通常使用される伝送線によって送出された場合であるか、または前記データ送出が完了していない部分データが通常使用される伝送線と該データ送出が完了した部分データの伝送線とを同時に用いて送出された場合であるかを判別して部分データを分離する請求項６に記載のデータ転送装置。
【請求項８】
前記復号化手段は、前記転送付加情報によって、前記転送データが前記部分データ値とその連続個数である場合を判別して、同じ部分データを該連続個数分だけ発生させる請求項６または７に記載のデータ転送装置。
【請求項９】
前記転送データの各部分データはそれぞれ、カラーコードまたはグレイコードによって表されている請求項１〜８のいずれかに記載のデータ転送装置。
【請求項１０】
請求項１〜９のいずれかに記載のデータ転送装置を有し、各画素データに対応する転送データの各ビットを、前記送信部から前記受信部に前記伝送線を介して転送する画像表示装置。
【請求項１１】
複数の走査信号線と複数のデータ信号線との各交差点近傍毎に配列されたスイッチング素子およびこれに接続された画素電極を含む画素部、該データ信号線を駆動する前記受信部側のデータ信号線駆動回路、該走査信号線を駆動する走査信号線駆動回路および、前記伝送線を介して該データ信号線駆動回路に転送データを伝送する前記送信部側のタイミングコントローラを有する制御基板と、
該制御基板に対向して配設され、該制御基板との間に表示媒体として液晶を挟持した対向基板とを備えた請求項１０に記載の画像表示装置。
【請求項１２】
複数ビットの転送データを伝送線を介して送信部側から受信部側に転送するデータ転送方法であって、
該送信部側では、各転送データ毎に少なくとも上位ビットと下位ビットの各部分データに分離して、連続する各転送データの上位部分データに対して、同じ部分データが連続している場合に、その連続データ部分を部分データ値とその連続個数に変換して、該各部分データに関する情報を合成して該伝送線に送出転送データを送出し、該上位部分データのデータ送出が完了した場合に、該データ送出がまだ完了していない他の部分データを、該他の部分データが通常使用される伝送線と、該上位部分データの伝送線とを同時に用いて該受信部側に該送出転送データを送出し、
該受信部側では、該送出転送データを受信した受信データを複数の部分データに分離し、該上位部分データの受信が完了した場合に、データ受信がまだ完了していない他の部分データを、該他の部分データが通常使用される伝送線と、該上位部分データの伝送線とを同時に用いて受信して、連続する各転送データの部分データに対して、該部分データ値とその連続個数が含まれている場合に、同じ部分データを該連続個数分だけ発生させて該転送データの各部分データを合成するデータ転送方法。
【発明の詳細な説明】
【技術分野】
【０００１】
本発明は、複数ビットの転送データを伝送線を介して転送するデータ転送装置およびこれを用いたデータ転送方法、このデータ転送装置を用いたマトリクス型液晶表示装置などの画像表示装置に関する。
【背景技術】
【０００２】
従来より、例えばマトリクス型液晶表示装置では、表示画面サイズが増大し、画像データの転送量が増加している。しかも、表示画像の色数が増加し、画素データの階調数も増加しているため、画像データの転送に必要な伝送線路の本数も増加している。このため、画像データの転送に必要な消費電力も増加している。
【０００３】
例えば、携帯電話器やデジタルカメラなどの携帯型電子情報機器に搭載される画像表示装置は、電池駆動により動作するため、画像データの転送に必要な消費電力を削減することによって、機器の動作時間を延長させることができる。
【０００４】
例えば、図１０に示すように、従来の液晶表示装置１０１は、データ信号線ＳＬ１〜ＳＬ４・・と走査信号線ＧＬ１〜ＧＬ３・・とが互いに交差するように配置され、両配線で囲まれた画素領域に隣接する配線と接続されたスイッチング素子および画素電極を含む画素部ＰＩＸ（１，１）〜ＰＩＸ（４，３）・・ＰＩＸ（ｎ，ｍ）がマトリクス状に設けられた画素アレイ１０２と、データ信号線ＳＬ１〜ＳＬ４・・に接続されたデータ信号線駆動回路１０３と、走査信号線ＧＬ１〜ＧＬ３・・に接続された走査信号線駆動回路１０４と、両駆動回路に接続されこれらを制御するタイミングコントローラ１０５とを有している。
【０００５】
この液晶表示装置１０１は、タイミングコントローラ１０５に外部映像信号線ＥＳＬを介して外部映像データ（画像データ）ＥＤが供給され、タイミングコントローラ１０５からデータ信号線駆動回路１０３に対して画素アレイ１０２が表示すべき画像を示す内部映像データ（画像データ）ＩＤが転送される。また、走査信号線駆動回路１０４には、タイミングコントローラ１０５からスタートパルス信号ＧＳＰおよびクロック信号ＧＣＫが供給され、そのタイミングに応じて走査信号線ＧＬ１〜ＧＬ３・・に走査信号が供給されて各画素部ＰＩＸ（ｎ、ｍ）が選択的に駆動される。
【０００６】
このタイミングコントローラ１０５からデータ信号線駆動回路１０３へのデータ転送時には、所定数の画素部に対応する内部映像データＩＤの各ビットが複数本の内部映像信号線ＩＳＬを介して同時に転送される。このような転送が繰り返されて、１水平ライン分の内部映像データＩＤが転送される。さらに、各水平ライン分の内部映像データＩＤの伝送が繰り返されて、１画面分の内部映像データＩＤが転送される。
【０００７】
従来のマトリクス型液晶表示装置では、画像データに２進数が用いられているため、１階調の変化でも多くのビットを反転する場合があり、データ転送のために多くの電力が消費されることになる。
【０００８】
これに対して、特許文献１には、画像データをグレイコードのデータに変換して転送する方法が開示されている。この特許文献１では、画像データをグレイコードのデータに変換して転送するため、非常に近い階調値のデータを連続して転送する場合に、データの信号変化の回数を減らすことができる。この結果、伝送線の充放電回数を減らすことができて、消費電力を削減することができる。
【０００９】
特許文献２には、以前に転送されたラインデータを記憶するラインメモリを設けて、現在転送しようとする画像データと、ラインメモリ上の同じ位置の画像データとの排他的論理和を転送する方法が開示されている。
【００１０】
画像は、一般に、隣接する画素同士が似通った表示状態となることが多いため、隣接する画像データ同士も似通った値になることが多い。したがって、特許文献２に開示されている方法は、画像データ自体を転送データとする場合に比べて、値の変化を減らすことができる。この結果、伝送線の充放電回数を減らして、消費電力を削減することができる。
【特許文献１】特開平９−２４４５８９号公報
【特許文献２】特開２００３−１９５８２１号公報
【発明の開示】
【発明が解決しようとする課題】
【００１１】
上記特許文献１のデータ転送方法では、画像データの表現方法としてグレイコードを用いているため、画素の階調値の変化が１である場合、変化する符号ビットの数も必ず１となる。このため、連続する画像データの変化量が０または１の場合には、データの信号変化の回数を大きく減らすことができる。しかしながら、画素の階調値の変化量が２以上である場合が多いと、近い値のデータを連続して転送する場合においても、データの信号変化回数が最小になるとは限らない。
【００１２】
また、特許文献１および特許文献２では、画像データの個数以上のデータ転送を行う必要があるため、信号変化の回数が少なくても、データ転送回数を減らすことはできない。したがって、データ転送に必要な消費電力を減らすことには限界がある。
【００１３】
一方、データ転送回数を減らすために、転送データ量そのものを圧縮する方法も考えられる。例えば、よく知られているＪＰＥＧ圧縮方式では、離散コサイン変換（ＤＣＴ）を用いてデータ量が圧縮される。
【００１４】
しかしながら、画像圧縮の対象領域が１ラインのデータではないため、画像表示装置への転送など、ライン単位でのデータ転送が必要な場合には、別途フレームメモリなどを設ける必要がある。さらに、圧縮伸張処理も複雑なものとなる。
【００１５】
本発明は、上記従来の問題を解決するもので、データの信号変化回数を減らすと共に、データ転送回数を減らしてデータ転送に必要な消費電力を削減できるデータ転送装置およびこれを用いたデータ転送方法、このデータ転送装置を用いた画像表示装置を提供することを目的とする。
【課題を解決するための手段】
【００１６】
本発明のデータ転送装置は、複数ビットの転送データを伝送線を介して送信部から受信部に転送するデータ転送装置において、該送信部は、該転送データ毎に少なくとも上位ビットと下位ビットの各部分データに分離するデータ分離手段と、連続する各転送データの上位部分データに対して、同じ転送データが連続している場合に、その連続データ部分を部分データ値とその連続個数に変換する符号化手段と、該各部分データに関する情報を合成して該伝送線に送出転送データを送出し、該上位部分データの送出が完了した場合に、まだデータ送出が完了していない他の部分データを、該他の部分データが通常使用される伝送線と該上位部分データの伝送線を同時に用いて該送出転送データを送出するデータ合成手段とを有し、そのことにより上記目的が達成される。
【００１７】
また、好ましくは、本発明のデータ転送装置におけるデータ分離手段は、前記転送データを、前記上位部分データと下位部分データの二つまたは、該上位部分データ、中位部分データおよび該下位部分データの三つに分離する。
【００１８】
さらに、好ましくは、本発明のデータ転送装置におけるデータ分離手段は、前記分離した各部分データは同じビット数である。
【００１９】
さらに、好ましくは、本発明のデータ転送装置における符号化手段は、前記部分データ値を格納する内部メモリと、前記連続個数を格納する内部カウンタとを有し、前記データ分離手段から受け取った部分データ値を該内部メモリに保存した部分データ値と比較して、その比較結果が異なる場合には該内部メモリに保存した部分データ値と該内部カウンタのカウンタ値を組にして出力すると共に、該内部メモリに該受け取った部分データ値を保存し、該比較結果が同じ場合には該内部カウンタのカウンタ値に「１」を加える加算処理を行う。
【００２０】
さらに、好ましくは、本発明のデータ転送装置におけるデータ合成手段は、前記転送データが通常使用される伝送線によって送出される場合、該転送データが前記部分データ値と連続個数である場合、およびデータ送出が完了していない部分データが通常使用される伝送線と、該データ送出が完了した部分データの伝送線とを同時に用いて送出される場合のいずれであるかを示す転送付加情報を生成して前記送出転送データと共に送出する。
【００２１】
さらに、好ましくは、本発明のデータ転送装置における受信部は、前記送出転送データを受信した受信データを複数の部分データに分離し、前記上位部分データの受信が完了した場合に、データ受信がまだ完了していない他の部分データを、該他の部分データが通常使用される伝送線と該上位部分データの伝送線を同時に用いて受信して、前記連続する各転送データの部分データに対して、前記部分データ値とその連続個数が含まれている場合に、同じ上位部分データを、該連続個数分だけ発生させて該上位部分データを合成する復号化手段を有する。
【００２２】
さらに、好ましくは、本発明のデータ転送装置における復号化手段は、前記転送付加情報によって、前記転送データが通常使用される伝送線によって送出された場合であるか、または前記データ送出が完了していない部分データが通常使用される伝送線と該データ送出が完了した部分データの伝送線とを同時に用いて送出された場合であるかを判別して部分データを分離する。
【００２３】
さらに、好ましくは、本発明のデータ転送装置における復号化手段は、前記転送付加情報によって、前記転送データが前記部分データ値とその連続個数である場合を判別して、同じ部分データを該連続個数分だけ発生させる。
【００２４】
さらに、好ましくは、本発明のデータ転送装置における転送データの各部分データはそれぞれ、カラーコードまたはグレイコードによって表されている。
【００２５】
本発明の画像表示装置は、請求項１〜９のいずれかに記載のデータ転送装置を有し、各画素データに対応する転送データの各ビットを、前記送信部から前記受信部に前記伝送線を介して転送し、そのことにより上記目的が達成される。
【００２６】
また、好ましくは、本発明の画像表示装置において、複数の走査信号線と複数のデータ信号線との各交差点近傍毎に配列されたスイッチング素子およびこれに接続された画素電極を含む画素部、該データ信号線を駆動する前記受信部側のデータ信号線駆動回路、該走査信号線を駆動する走査信号線駆動回路および、前記伝送線を介して該データ信号線駆動回路に転送データを伝送する前記送信部側のタイミングコントローラを有する制御基板と、該制御基板に対向して配設され、該制御基板との間に表示媒体として液晶を挟持した対向基板とを備えている。
【００２７】
本発明のデータ転送方法は、複数ビットの転送データを伝送線を介して送信部側から受信部側に転送するデータ転送方法であって、該送信部側では、各転送データ毎に少なくとも上位ビットと下位ビットの各部分データに分離して、連続する各転送データの上位部分データに対して、同じ部分データが連続している場合に、その連続データ部分を部分データ値とその連続個数に変換して、該各部分データに関する情報を合成して該伝送線に送出転送データを送出し、該上位部分データのデータ送出が完了した場合に、該データ送出がまだ完了していない他の部分データを、該他の部分データが通常使用される伝送線と、該上位部分データの伝送線とを同時に用いて該受信部側に該送出転送データを送出し、
該受信部側では、該送出転送データを受信した受信データを複数の部分データに分離し、該上位部分データの受信が完了した場合に、データ受信がまだ完了していない他の部分データを、該他の部分データが通常使用される伝送線と、該上位部分データの伝送線とを同時に用いて受信して、連続する各転送データの部分データに対して、該部分データ値とその連続個数が含まれている場合に、同じ部分データを該連続個数分だけ発生させて該転送データの各部分データを合成するものであり、そのことにより上記目的が達成される。
【００２８】
上記構成により、以下に、本発明の作用について説明する。
【００２９】
一般に、画像データの階調値には偏りがある場合が多く、また、隣接する画素の階調値の差は小さい場合が多い。このため、１ライン分の転送データにおいて、上位ビット部分では、同じ値が連続していることが多い。
【００３０】
本発明にあっては、データの送出側において、転送データが分離され、上位ビットが部分データとして扱われるため、連続する各転送データの上位部分データにおいて、同じ部分データ値が連続することが多くなる。そこで、この同じ部分データ値が連続する上位部分データの情報を、その部分データ値とその連続データ個数の組として送信すれば、上位ビットに相当する部分データの転送回数を減らすことが可能となる。
【００３１】
なお、転送データの分離は、必ずしも上位と下位だけに分離する必要はなく、データの特徴によって、連続する部分データが多くなるように、上位、中位および下位など各種に分離を行えばよい。また、分離されたデータの表現方法は、カラーコードまたはグレイコード表現であってもよい。
【００３２】
また、本発明にあっては、例えば上位ビットに相当する上位部分データの転送回数が減ることにより、他の部分データよりも早くデータ送出が完了する。よって、残りの他の部分データの転送を、データ転送が完了した上位部分データの転送に用いられる伝送線をも用いて行うことが可能となり、１ライン分の画像データの転送回数全体を減らすことが可能となる。
【００３３】
さらに、本発明にあっては、データの受信部側において、受信データを複数の部分データに分離し、その部分データ値とその連続データ個数を受信した場合に、同じ上位部分データをその連続データ個数分だけ発生させることにより、送信部側に入力された元の転送データを、より正しく再現することが可能となる。
【発明の効果】
【００３４】
以上により、本発明によれば、データの送信部側において、一つのデータを少なくとも上位ビットと下位ビットの各部分データに分離するため、同じ値ではないが、階調値の差が小さいデータが連続する場合においても、上位部分データでは同じ部分データ値が連続する場合が多いため、部分データに分離しない場合に比べて、同じ上位部分データ値が連続する比率を高めることができる。
【００３５】
また、同じ転送データの上位部分データが連続する場合に、その上位部分データ値とその連続データ個数に変換して送出することにより、同じ部分データ値を繰り返し転送する場合に比べて、その部分データの転送回数を大幅に減らすことができる。
【００３６】
さらに、いずれかの部分データの送出が完了した場合に、まだデータ転送が完了していない他の部分データを、その他の部分データが通常使用される伝送線と、データ送出が完了した部分データの伝送線を同時に用いて送出することにより、データ全体の転送回数を減らして、データ転送の動作に必要な消費電力を減らすことができる。しかも、１ラインの中で、転送が完了した転送データの転送順序が入れ替わることがないため、データの転送先において、データの並べ替え処理が不要であり、転送先における受信処理が簡単になる。
【００３７】
さらに、本発明によれば、データの受信部側において、受信データを複数の部分データに分離し、上位部分データの転送が完了した場合に、データ転送がまだ完了していない他の部分データを、その他の部分データが通常使用される伝送線と、データ転送が完了した上位部分データの伝送線を同時に用いて受信して、その上位部分データの値とその連続データ個数を受信した場合に同じ部分データを連続する個数分だけ発生させることにより、受信部側において、送信部側に入力された元の転送データを、より正しく再現することができる。
【００３８】
したがって、本発明によれば、従来のようにフレームメモリなどを用いたり、複雑な圧縮伸長処理を行うことなく、データの信号変化回数を減らすと共にデータ転送回数を減らして、データ転送に必要な消費電力を削減することができる。
【発明を実施するための最良の形態】
【００３９】
以下に、本発明のデータ転送装置およびこれを用いたデータ転送方法の実施形態を画像表示装置としての液晶表示装置に適用した場合について、図面を参照しながら詳細に説明する。
【００４０】
図１は、本実施形態に係る液晶表示装置の要部構成例を示すブロック図である。
【００４１】
図１において、液晶表示装置１は、マトリクス状に配列されたスイッチング素子および画素電極を含む画素部ＰＩＸ（１，１）〜ＰＩＸ（ｎ，ｍ；ｎ，ｍは自然数）を有する表示部としての画素アレイ２と、画素アレイ２のデータ信号線ＳＬ１〜ＳＬｎを駆動する受信部側のデータ信号線駆動回路３と、画素アレイ２の走査信号線ＧＬ１〜ＧＬｍを駆動する走査信号線駆動回路４と、伝送線である内部映像信号線ＩＳＬを介してデータ信号線駆動回路３に転送データのデジタル内部映像データＩＤを伝送する送信部側のタイミングコントローラ５とを備えている。
【００４２】
即ち、液晶表示装置１は、互いに交差する複数の走査信号線ＧＬ１〜ＧＬｍと複数のデータ信号線ＳＬ１〜ＳＬｎとの交差点毎（走査信号線とデータ信号線で囲まれる領域毎）にマトリクス状に配列されたスイッチング素子および画素電極を含む画素部ＰＩＸ（１，１）〜ＰＩＸ（ｎ，ｍ）、データ信号線ＳＬ１〜ＳＬｎを駆動する受信部側のデータ信号線駆動回路３、走査信号線ＧＬ１〜ＧＬｍを駆動する走査信号線駆動回路４および、伝送線を介してデータ信号線駆動回路３に転送データを伝送する送信部側のタイミングコントローラ５を有する制御基板と、この制御基板に対向して配設され、この制御基板との間に表示媒体として液晶を挟持した対向基板とを備えている。
【００４３】
本実施形態のデータ転送装置は、送信部側のタイミングコントローラ５のデータ信号送信部から受信部側のデータ信号線駆動回路３のデータ信号受信部に伝送線を介して、各画素データに対応する転送データの各ビットを転送するものである。
【００４４】
以下では、データ信号線駆動回路３およびタイミングコントローラ５の構成について詳細に説明する前に、液晶表示装置１の概略構成例およびその動作について簡単に説明する。また、説明の便宜上、例えばｉ番目のデータ信号線ＳＬi のように、位置を特定する必要がある場合にのみ、位置を示す数字または英字を付して参照し、位置を特定する必要がない場合や総称する場合には位置を示す文字を省略して参照する。 
【００４５】
本実施形態の液晶表示装置１において、画素アレイ２は、前述したように、複数（ｎ本；ｎは自然数）のデータ信号線ＳＬ１〜ＳＬｎと、各データ信号線ＳＬ１〜ＳＬｎにそれぞれ交差する複数（ｍ本）の走査信号線ＧＬ１〜ＧＬｍとを備えており、１からｎまでの任意の整数および１からｍまでの任意の整数をｊとすると、データ信号線ＳＬｉおよび走査信号線ＧＬｊの組み合わせ毎に、画素部ＰＩＸ（ｉ，ｊ）が設けられている。  
【００４６】
また、各画素部ＰＩＸ（ｉ，ｊ）は２本のデータ信号線と走査信号線で囲まれた領域に配されている。
【００４７】
その一例として、液晶表示装置１が液晶表示装置の場合について説明すると、画素部ＰＩＸ（ｉ，ｊ）は、例えば図２に示すように、そのゲートが走査信号線ＧＬｊに接続され、そのソースがデータ信号線ＳＬｉに接続されたスイッチング素子としての電界効果トランジスタＳＷ（ｉ，ｊ）と、この電界効果トランジスタＳＷ（ｉ，ｊ）のドレインに一方電極（画素電極）が接続された画素容量Ｃｐ（ｉ，ｊ）とを備えている。また、画素容量Ｃｐ（ｉ，ｊ）の他端は、全画素部ＰＩＸに共通の共通電極線に接続されている。上記画素容量Ｃｐ（ｉ，ｊ）は、液晶容量ＣＬ（ｉ，ｊ）と、必要に応じて付加される補助容量Ｃｓ（ｉ，ｊ）とによって構成されている。
【００４８】
この画素部ＰＩＸ（ｉ，ｊ）において、走査信号線ＧＬｊが選択されると、電界効果トランジスタＳＷ（ｉ，ｊ）が導通状態となり、データ信号線ＳＬｉに印加された表示電圧が画素容量Ｃｐ（ｉ，ｊ）に印加される。一方、この走査信号線ＧＬｊの選択期間が終了して、電界効果トランジスタＳＷ（ｉ，ｊ）が遮断されている間、画素容量Ｃｐ（ｉ，ｊ）は遮断時の表示電圧を保持し続ける。
【００４９】
ここで、液晶の透過率または反射率は、液晶容量ＣＬ（ｉ，ｊ）に印加される電圧によって変化する。したがって、走査信号線ＧＬｊを選択すると共に、この画素部ＰＩＸ（ｉ，ｊ）の表示状態を示す映像データＤに応じた表示電圧を、出力信号Ｏｉとしてデータ信号線ＳＬｉに印加すれば、画素部ＰＩＸ（ｉ，ｊ）の表示状態を、映像データＤに合わせて変化させることができる。  
【００５０】
なお、上記説明では、液晶表示装置を例に挙げて説明したが、画素部ＰＩＸ（ｉ，ｊ）は、走査信号線ＧＬｊに選択状態を示す走査信号が印加されている間に、データ信号線ＳＬｉに印加されたデータ信号の値に応じて、画素部ＰＩＸ（ｉ，ｊ）の明るさ（輝度）を調整できるものであれば、自発光であるか否かを問わず、他の構成の画素部を用いることもできる。
【００５１】
液晶表示装置１において、図１に示す走査信号線駆動回路４は、各走査信号線ＧＬ１〜ＧＬｍに対して、電界効果トランジスタＳＷ（ｉ，ｊ）をオンさせる所定の電圧信号として、選択期間であるか否かを示す走査信号を出力している。また、走査信号線駆動回路４は、選択期間を示す走査信号を出力する走査信号線ＧＬｊを、例えば、タイミングコントローラ５などから与えられるクロック信号ＧＣＫやスタートパルス信号ＧＳＰなどのタイミング信号に基づいて変更している。これにより、各走査信号線ＧＬ１〜ＧＬｍは、予め定められたタイミングで順次選択される。
【００５２】
さらに、データ信号線駆動回路３は、内部映像信号線ＩＳＬにて供給される内部映像データＩＤに基づいて、現在選択中の走査信号線ＧＬｊに接続された各画素部ＰＩＸ（１，ｊ）〜ＰＩＸ（ｎ，ｊ）の表示状態を特定し、それぞれの表示状態に応じた値の映像データＤ（１，ｊ）〜Ｄ（ｎ，ｊ）に応じた各出力信号Ｏ１〜Ｏｎを生成し、各データ信号線ＳＬ１〜ＳＬｎに対してそれぞれ出力する。
【００５３】
一方、各画素部ＰＩＸ（１，ｊ）〜ＰＩＸ（ｎ，ｊ）は、自らに対応する走査信号線ＧＬｊが選択されている間に、自らに対応するデータ信号線ＳＬ１〜ＳＬｎに与えられたデータ信号の電圧値に応じて、発光する際の輝度や透過率などを調整して、自らの明るさを決定する。
【００５４】
上記走査信号線駆動回路４は、走査信号線ＧＬ１〜ＧＬｍを順次選択している。したがって、画素アレイ２の全画素部ＰＩＸ（１，１）〜ＰＩＸ（ｎ，ｍ）を、それぞれに対する映像データＤ・・・が示す明るさに設定することが可能であり、画素アレイ２に対して表示される画像を更新することができる。
【００５５】
なお、液晶表示装置１は、画素アレイ２の表示をフレーム単位（例えば１画面単位）で更新してもよく、または、１フレームを複数フィールドに分割すると共に、このフィールド単位で画素アレイ２の表示を更新してもよいが、以下では、その一例として、フレーム単位で表示する場合について説明する。  
【００５６】
本実施形態に係る液晶表示装置１は、フレーム単位の表示更新を繰り返して画素アレイ２に映像を表示している。液晶表示装置１において、タイミングコントローラ５は、内部映像信号線ＩＳＬを介して、各フレームを表示するための内部映像データＩＤ・・・を転送する際に、例えば、あるフレーム用の内部映像データＩＤ・・・を全て転送した後に、次のフレーム用の内部映像データＩＤ・・・を転送することなどにより、各フレーム用の内部映像データＩＤ・・・を時分割で転送している。  
【００５７】
上記フレームは、複数の水平ラインから構成されており、内部映像信号線ＩＳＬでは、例えば、ある水平ライン用の内部映像データＩＤ・・・が全て転送された後に、次の水平ライン用の内部映像データＩＤ・・・を転送することなどにより、各水平ライン用の内部映像データＩＤ・・・を時分割で転送している。 
【００５８】
タイミングコントローラ５は、１水平ライン分の内部映像データＩＤ・・・を転送する際にも、内部映像信号線ＩＳＬを時分割駆動しており、予め定められた数の映像データＤに対応する内部映像データＩＤが内部映像信号線ＩＳＬにより一括して転送された後、次の映像データＤに対応する内部映像データＩＤが転送される。
【００５９】
本実施形態では、内部映像データＩＤを転送する際の単位が例えば１画素単位であり、１画素部ＰＩＸ（ｉ，ｊ）の映像データＤ（ｉ，ｊ）に対応する内部映像データＩＤ（ｉ，ｊ）が一括して転送されている。したがって、各画素部ＰＩＸ（ｉ，ｊ）は、例えば２ｑビットの階調表示可能な画素部や２ｑビットカラーを表示可能な画素部など、２ｑビットの互いに異なる表示状態を選択可能な画素部である。
【００６０】
さらに、本実施形態では、例えば、内部映像データＩＤ（ｉ，ｊ）を転送する順番が、例えば、左から右など、内部映像データＩＤ（ｉ，ｊ）に対応する画素部ＰＩＸ（ｉ，ｊ）の横方向位置（ｉ）に応じた順番に設定されている。  
【００６１】
以下では、タイミングコントローラ５が、コンピュータのビデオボードなどのような液晶表示装置１の外部装置から、外部映像信号線ＥＳＬを介して、各フレームを示すデジタルの外部映像データＥＤ・・・および外部制御信号ＥＣ・・・を受け取ると共に、この外部映像データＥＤ・・・と外部制御信号ＥＣ・・・に基づいて内部映像データＩＤを生成する場合を一例として、タイミングコントローラ５およびデータ信号線駆動回路３の詳細な構成例について説明する。  
【００６２】
フレーム毎に転送される場合を例に説明すると、外部映像信号線ＥＳＬには、内部映像データＩＤ・・・と同様に、各フレーム用の外部映像データＥＤ・・・が時分割に転送されており、１フレーム分の外部映像データＥＤ・・・を転送する際、各水平ライン用の外部映像データＥＤ・・・が時分割に転送されている。また、外部映像信号線ＥＳＬは、１水平ライン分の外部映像データＥＤ・・・を転送する際にも時分割駆動されている。
【００６３】
本実施形態に係る液晶表示装置１において、外部映像信号線ＥＳＬには、１画素部ＰＩＸに対応する外部映像データＥＤとして、この画素部ＰＩＸが表示すべき表示状態を示すデジタル信号が転送されている。
【００６４】
また、本実施形態では、その一例として、１水平ライン分の内部映像データＩＤを時分割に転送する際の単位および順番と、１水平ライン分の外部映像データＥＤを時分割に転送する際の単位および順番とが同一に設定されている。したがって、例えば、２ｑビットの表示状態を選択可能な画素部の場合、外部映像信号線ＥＳＬの本数は２ｑ本に設定されており、各外部映像データＥＤ・・・は、各外部映像データＥＤ（ｉ，ｊ）に対応する画素部ＰＩＸ（ｉ，ｊ）の横方向の位置（ｉ）に応じた順番で転送される。  
【００６５】
まず、タイミングコントローラ５について詳細に説明する。
【００６６】
図１に示すように、本実施形態の液晶表示装置１において、タイミングコントローラ５は、送信部としてのデータ信号送信部５ａとタイミング制御部５ｂとによって構成されている。
【００６７】
タイミング制御部５ｂは、液晶表示装置１の外部装置から外部制御信号ＥＣを受け取って、走査信号線駆動回路４に対してスタートパルス信号ＧＳＰや走査信号線ＧＬｊに走査信号を出力する。また、タイミング制御部５ｂは、時分割に転送されてくる外部映像データＥＤ・・・の有効期間を判断して、１水平ライン毎に、データ信号送信部５ａに対して、１水平ラインの有効期間やデータ信号送信部５ａがデータを取り込むタイミング信号などを出力する。
【００６８】
図３（ａ）は、図１のデータ信号送信部５ａの構成例を示すブロック図であり、図３（ｂ）は、図１のデータ信号受信部３ａの構成例を示すブロック図である。
【００６９】
図３（ａ）において、データ転送元である送信部側のデータ信号送信部５ａは、転送制御部５１と、データ分離手段としての画素データ分離部５２と、符号化手段としての符号化器５３および符号化器５４と、記憶手段としてのバッファメモリ５５およびバッファメモリ５６と、データ合成手段としての転送データ合成部５７とを有している。
【００７０】
転送制御部５１では、タイミング制御部５ｂから受け取った１水平ラインの有効期間を示す制御信号に基づいて、画素データ分離部５２に対して外部画像データＥＤが取り込まれるように制御されると共に、１水平ラインの画像データをデータ転送先へ送信するための制御信号ＤＣが出力される。
【００７１】
画素データ分離部５２では、取り込まれた外部画像データＥＤの１画素部ＰＩＸに対応する画素データ（転送データ）が、予め定められた部分データに分離される。本実施形態では、例えば、１画素部ＰＩＸの２ｑビットに対応する画素データが、上位ｑビットの上位部分データと、下位ｑビットの下位部分データの二つの部分データに分離されるものとする。
【００７２】
なお、上位と下位のそれぞれの部分データを構成する信号のビット数は、同じである必要はない。例えば、変化の少ない画像データを転送する割合が高い場合には、上位ビット側の部分データに割り当てられるビット数を多く設定することによって、より一層、データ転送回数を減少させることができる場合がある。さらに、上位と下位の二つの部分データに限らず、３つ以上の複数の部分データに分離してもよい。本実施形態では、その一例として、同じｑビットに二分割している。
【００７３】
このようにして分離された二つの各部分データはそれぞれ、各符号化器５３，５４にそれぞれ出力される。
【００７４】
符号化器５３は、部分データ値を格納する内部メモリと、連続する転送データ（画素データ）の部分データの個数を格納する内部カウンタとを有しており、上記タイミング制御部５ｂからの制御信号に基づいて、上記画素データ分離部５２から１水平ライン分の各転送データの上位部分データの受け取りを繰り返しながら、以下の処理を行う。
（符号化器５３の処理）
符号化器５３では、上記タイミング制御部５ｂから供給される１水平ラインの有効期間信号が有効状態になった時点で、内部カウンタを「０」にリセットし、処理を開始する。また、上記タイミング制御部５ｂから供給される１水平ラインの有効期間信号が無効状態になったときに、バッファメモリ５５に保存された値を転送データ合成部５７に出力し、次に内部カウンタのカウンタ値をバッファメモリ５５に出力し、符号化器５３の処理を終了する。
【００７５】
また、符号化器５３では、上記データ分離部５２から受け取る上位ビットの部分データに対して、以下の判定を行う。
【００７６】
（１）内部カウンタの値が「０」の場合
内部カウンタの値が「０」の場合、１水平ラインの最初の上位部分データであるため、内部カウンタを「１」にセットし、内部メモリに受け取った部分データ値を保存する。
【００７７】
（２）内部カウンタの値が２ｑ−１（２のｑ乗−１）の場合
内部カウンタの値が２ｑ−１の場合は、上位部分データの連続個数がｑビットで表現可能な最大値となるため、バッファメモリ５５へ、内部メモリに保存された部分データ値と内部カウンタのカウンタ値を組にして出力する。内部カウンタを「１」にセットし、内部メモリに受け取った部分データ値を保存する。
【００７８】
（３）受け取った上位部分データが内部メモリに保存された部分データ値と異なる値の場合
受け取った上位部分データが内部メモリに保存された部分データ値と異なる値の場合には、バッファメモリ５５へ、内部メモリに保存された部分データ値と内部カウンタのカウンタ値を組にして出力する。内部カウンタを「１」にセットし、内部メモリに受け取った部分データ値を記録する。
【００７９】
（４）受け取った上位部分データが内部メモリに保存された部分データ値と同じ値の場合
受け取った上位部分データが内部メモリに保存した部分データ値と同じ値の場合には、同じ部分データ値が連続しているため、内部カウンタのカウンタ値に「１」を加える処理を行う。
（符号化器５４の処理）
符号化器５４では、タイミング制御部５ｂからの制御信号に基づいて、画素データ分離部５２から受け取った１水平ライン分の下位ビットの部分データを、そのままバッファメモリ５６に出力する。即ち、符号化器５４では、同じ値が連続していても、データと連続個数に変換されない。
【００８０】
バッファメモリ５５，５６は、先入れ先出し方式で読み書き可能な記憶回路であり、バッファメモリ５５には上位部分データ値と連続する個数が格納され、バッファメモリ５６には下位部分データ値が格納される。
（転送データ合成部５７の処理）
転送データ合成部５７では、タイミング制御部５ｂからの制御信号に基づいて、バッファメモリ５５とバッファメモリ５６に記憶された転送データに関する情報を合成し、転送画像データＩＤとして出力する。このとき、各部分データに関する情報を合成して伝送線に送出し、いずれかの部分データの送出が完了した場合には、まだ送出が完了していない他の部分データを、他の部分データが通常使用される伝送線と、データ送出が完了した部分データの伝送線とを同時に用いて送出する。
【００８１】
また、転送データ合成部５７は、転送画像データＩＤの構成例を示す情報として転送付加情報ＩＦを生成して出力する。この転送付加情報ＩＦは、次の３種類の状態１〜３を示している。
【００８２】
（１）状態１：転送データが通常使用される伝送線によって送出されている場合で、転送データの上位ｑビットは上位部分データの部分データ値を表し、下位ｑビットは下位部分データの部分データ値を表している。
【００８３】
（２）状態２：同じ部分データが連続している場合で、上位ｑビットは上位部分データの連続するデータ個数を表し、下位ｑビットは下位部分データのデータ値を表している。
【００８４】
（３）状態３：送出が完了していない部分データが通常使用される伝送線と、データ送出が完了した部分データの伝送線とを同時に用いて送出された場合で、上位ｑビットおよび下位ｑビット共に下位部分データの部分データ値を表している。
【００８５】
以下に、転送データ合成部５７によって転送データに関する情報を合成する処理について、詳細について説明する。
【００８６】
転送データ合成部５７では、上位ビット用の符号化器５３と下位ビット用の符号化器５６において、１水平ライン分の各転送データの各部分データの読み込みが完了したときに、転送データの合成処理を開始する。
【００８７】
（１）バッファメモリ５５とバッファメモリ５６の両方に、まだ読み出されていない部分データがある場合
バッファメモリ５５から保存されている部分データ値と連続するデータの個数の組とを読み出して、転送画像データＩＤの上位ｑビットにバッファメモリ５５から読み出した部分データの値を設定する。また、バッファメモリ５６から部分データを１個読み出して、転送画像データＩＤの下位ｑビットに読み出した値を設定する。さらに、転送付加情報ＩＦを状態１に設定する。上記タイミング制御部５ｂによって定められるしかるべきタイミングで、転送画像データ１個を送出する。
【００８８】
（１−１）連続するデータの個数が２以上の場合
連続するデータの個数が２以上の場合、続けて以下の処理を行う。
【００８９】
転送画像データＩＤの上位ｑビットにバッファメモリ５５から読み出した連続するデータの個数を設定する。また、バッファメモリ５６から部分データを１個読み出して、転送画像データＩＤの下位ｑビットに読み出した値を設定する。さらに、転送付加情報ＩＦを状態２に設定する。上記タイミング制御部５ｂによって定められるしかるべきタイミングで、転送画像データ１個を送出する。
【００９０】
（２）バッファメモリ５６のみに、まだ読み出されていない部分データがある場合
バッファメモリ５６から部分データを１個読み出し、転送画像データＩＤの上位ｑビットに、読み出した値を設定する。続けて、バッファメモリ５６から部分データを１個読み出し、転送画像データＩＤの下位ｑビットに読み出した値を設定する。このとき、バッファメモリ５６に読み出されていない部分データがない場合は、転送画像データＩＤの下位ｑビットに全て「０」を設定する。さらに、転送付加情報ＩＦを状態３に設定する。上記タイミング制御部５ｂによって定められるしかるべきタイミングで、転送画像データ１個を送出する。
【００９１】
バッファメモリ５５およびバッファメモリ５６の両方とも、全ての部分データが読み出されたときに、転送データに関する情報の合成処理を終了する。
【００９２】
以下に、本実施形態のデータ信号送信部５ａによる一連の処理について、具体的な一例を挙げて詳細に説明する。
【００９３】
図４に示すように、１水平ラインが１２個の画像データより構成されているとする。この例では、一画素部ＰＩＸに対応する画素データが２進数６ビット（ｑ＝３）によって表現されている。
【００９４】
（画素データ分離部５２の処理） 
画素データ分離部５２によって、図４に示すように、各画素データは上位３ビットからなる部分データと、下位３ビットからなる部分データとに分離される。図４において、例えばＮｏ．１のデータ値”１４”は２進数で”００１１１０”であり、上位ビットの部分データフローグラフは”００１”、下位ビットの部分データは”１１０”である。
【００９５】
（符号化器５３の処理）
上位ビットの部分データは符号化器５３に入力され、バッファメモリ５５には、図５に示すように、部分データ値と連続するデータの個数の組が保存される。この手順を詳細に説明すると、以下のようになる。
【００９６】
まず、符号化器５３は、上位ビットの部分データの最初のデータであるＮｏ．１を受け取ると、これは１水平ラインの最初の部分データであるため、内部カウンタの値が”１”となり、内部メモリに”００１”が保存される。
【００９７】
続いて、符号化器５３は、上位ビットの部分データのＮｏ．２〜Ｎｏ．７までを受け取るが、その値が内部メモリに保存されている”００１”と同じ値であるため、内部カウンタの値が”１”ずつ加算されていき、Ｎｏ．７の部分データ値を読み込んだ時点では、内部カウンタの値が”７”となる。
【００９８】
続いて、符号化器５３は、Ｎｏ．８の部分データ値を読み込む時点で、内部カウンタ値の”７”が３ビットで表現可能な最大の数であるため、部分データ”００１”と内部カウンタ値の”７”の組が、バッファメモリ５５のアドレス１に記録される。内部カウンタ値が”１”にセットされ、内部メモリにＮｏ．８の値である”０００”が保存される。
【００９９】
続いて、符号化器５３は、Ｎｏ．９の部分データ値”００１”を受け取るが、これは内部メモリに保存されている”０００”と異なる値であるため、内部メモリに保存されている”０００”の値と内部カウンタ値の１の組がバッファメモリ５５のアドレス２にに記録される。内部カウンタ値が１にセットされ、内部メモリにＮｏ．９の値である”００１”が保存される。
【０１００】
続いて、符号化器５３は、上位ビットの部分データのＮｏ．１０〜Ｎｏ．１２までを受け取るが、その値が内部メモリに保存されている”００１”と同じ値であるため、内部カウンタの値が１ずつ加算されていき、Ｎｏ．１２の部分データ値を読み込んだ時点では、内部カウンタの値が４となる。
【０１０１】
全ての上位ビットの部分データの受け取りが完了し、１水平ラインの有効期間信号が無効状態となったとき、内部メモリに保存されている”００１”の値と内部カウンタ値の４の組が、バッファメモリ５５のアドレス３に記録される。
【０１０２】
（符号化器５７の処理）
下位ビットの部分データは符号化器５４に入力され、バッファメモリ５６には、図６に示すように、部分データ値が保存される。ここでは、バッファメモリ５６のアドレス１〜１２にＮｏ．１〜１２の部分データがそれぞれ保存されている。
【０１０３】
（転送データ合成部５７の処理）
符号化器５３および符号化器５４において、全ての部分データの読み込みが完了すると、転送データ合成部５７によって、図７に示す転送画像データＩＤと、転送付加情報ＩＦが順に出力される。この手順を詳細に説明すると、以下のようになる。
【０１０４】
まず、バッファメモリ５５，５６の両方に、読み出されていない部分データがあるため、転送データ合成部５７は、バッファメモリ５５から部分データ値”００１”と連続するデータの個数”７”の組を読み出して、転送画像データＩＤの上位３ビットに、”００１”を設定する。また、バッファメモリ５６から部分データ”１１０”を読み出して、転送画像データＩＤの下位３ビットに”１１０”を設定する。さらに、転送付加情報ＩＦを状態１に設定する。上記タイミング制御部５ｂによって定められるしかるべきタイミングで、転送画像データ”００１  １１０”が送出される。
【０１０５】
次に、転送データ合成部５７は、連続するデータの個数が７であり、２以上の場合に該当するため、続けて以下の処理を行う。転送画像データＩＤの上位３ビットに、連続するデータの個数である”７”、即ち、２進数の”１１１”を設定する。また、下位ビットのバッファメモリ５６から部分データ”１０１”を読み出して、転送画像データＩＤの下位３ビットに”１０１”を設定する。さらに、転送付加情報ＩＦを状態２に設定する。上記タイミング制御部５ｂによって定められるしかるべきタイミングで、転送画像データ”１１１  １０１”が送出される。
【０１０６】
さらに、転送データ合成部５７は、まだ、バッファメモリ５５，５６の両方に読み出されていない部分データがあるため、バッファメモリ５５から部分データ値”０００”と連続するデータの個数”１”の組を読み出して、転送画像データＩＤの上位３ビットに”０００”を設定する。また、バッファメモリ５６から部分データ”１１１”を読み出して、転送画像データＩＤの下位３ビットに”１１１”を設定する。さらに、転送付加情報ＩＦを状態１に設定する。上記タイミング制御部５ｂによって定められるしかるべきタイミングで、転送画像データ”０００  １１１”が送出される。ここでは、連続するデータの個数が１であるため、２以上の場合に該当しない。
【０１０７】
さらに、転送データ合成部５３は、まだ、バッファメモリ５５，５６の両方に読み出されていない部分データがあるため、バッファメモリ５５から部分データ値”００１”と連続するデータの個数”４”の組を読み出して、転送画像データＩＤの上位３ビットに”００１”を設定する。また、バッファメモリ５６から部分データ”１００”を読み出して、転送画像データＩＤの下位３ビットに”１００”を設定する。さらに、転送付加情報ＩＦを状態１に設定する。上記タイミング制御部５ｂによって定められるしかるべきタイミングで、転送画像データ”００１  １００”が送出される。
【０１０８】
さらに、転送データ合成部５７は、連続するデータの個数が４であり、２以上の場合に該当するため、続けて以下の処理を行う。転送画像データＩＤの上位３ビットに、連続するデータの個数である”４”、即ち２進数の”１００”を設定する。また、バッファメモリ５６から部分データ”１１０”を読み出して、転送画像データＩＤの下位３ビットに”１１０”を設定する。さらに、転送付加情報ＩＦを状態２に設定する。上記タイミング制御部５ｂによって定められるしかるべきタイミングで、転送画像データ”１００  １１０”が送出される。
【０１０９】
ここで、バッファメモリ５５からは全ての部分データが読み出され、バッファメモリ５６のみにまだ読み出されていない部分データがある場合に該当する。
【０１１０】
さらに、転送データ合成部５７は、バッファメモリ５６から部分データ”０１０”を読み出して、転送画像データＩＤの上位３ビットに”０１０”を設定する。続けて、バッファメモリ５６から部分データ”０００”を読み出して、転送画像データＩＤの下位３ビットに”０００”を設定する。さらに、転送付加情報ＩＦを状態３に設定する。上記タイミング制御部５ｂによって定められるしかるべきタイミングで、転送画像データ”０１０  ０００”が送出される。
【０１１１】
以降、バッファメモリ５６のみにまだ読み出されていない部分データがある場合の処理が繰り返される。
【０１１２】
バッファメモリ５６の８個目と９個目のデータはそれぞれ、上位３ビットおよび下位３ビットに設定されて、転送画像データ”１１１  ０１０”が送出される。また、バッファメモリ５６の１０個目と１１個目のデータはそれぞれ、上位３ビットおよび下位３ビットに設定されて、転送画像データ”０１１  ０１０”が送出される。さらに、バッファメモリ５６の１２個目のデータは上位３ビットに設定される。ここで、バッファメモリ５６のデータはすべて読み出されたため、下位３ビットには”０００”が設定されて、転送画像データ”１００  ０００”が送出される。
【０１１３】
以上のようにして、データ信号送信部５ａによって、１２個の画素データが９回の転送回数で送出される。
【０１１４】
次に、データ信号線駆動回路３について説明する。
【０１１５】
図１に示すように、本実施形態の液晶表示装置１において、データ信号線駆動回路３は、受信部としてのデータ信号受信部３ａとデータ信号線駆動部３ｂとによって構成されている。
【０１１６】
データ信号線駆動部３ｂは、データ信号受信部３ａから供給される内部映像データ（画像データ）ＩＤに基づいて、現在選択中の走査信号線ＧＬｊに接続された各画素ＰＩＸ（１，ｊ）〜ＰＩＸ（ｎ，ｊ）の表示状態を特定し、それぞれの表示状態に応じた値の映像データＤ（１，ｊ）〜Ｄ（ｎ，ｊ）に応じた各出力信号Ｏ１〜Ｏｎを生成し、各データ信号線ＳＬ１〜ＳＬｎに対してそれぞれ出力する。
【０１１７】
図３（ｂ）は、図１の液晶表示装置１におけるデータ信号受信部３ａの要部構成例を示すブロック図である。
【０１１８】
図３において、本実施形態のデータ信号受信部３ａは、転送制御部３１と、復号化手段としての復号化器３３および復号化器３４と、記憶手段としてのバッファメモリ３５およびバッファメモリ３６とを有している。
【０１１９】
転送制御部３１では、タイミングコントローラ５のデータ信号送信部５ａから受け取った制御信号ＤＣに基づいて、転送画像データＩＤが取り込まれ、画像データをデータ信号線駆動回路３ｂへ出力するための制御信号が出力される。
【０１２０】
バッファメモリ３５，３６は、先入れ先出し方式で読み書き可能な記憶回路であり、バッファメモリ３５には上位部分データ値とその連続個数が格納され、バッファメモリ３６には下位部分データ値が格納される。
【０１２１】
復号化器３３，３４には、受信データが入力されて複数の部分データに分離される。
【０１２２】
このとき、復号化器３３，３４では、タイミングコントローラ５のデータ信号送信部５ａから供給される転送付加情報ＩＦによって、転送データが部分データ値とその連続個数である場合を判別して、同じ部分データをその連続個数分だけ発生させる。
【０１２３】
また、復号化器３３，３４には、いずれかの部分データのデータ受信が完了した場合に、まだデータ受信が完了していない部分データが、通常使用される伝送線と、データ受信が完了した部分データの伝送線とを同時に用いて受信される。この場合、復号化器３３，３４では、タイミングコントローラ５のデータ信号送信部５ａから供給される転送付加情報ＩＦによって、転送データが通常使用される伝送線によって送出された場合であるか、または、データ送出が完了していない部分データが通常使用される伝送線と、データ送出が完了した部分データの伝送線とを同時に用いて送出された場合であるかを判別して部分データが分離される。このようにして、各部分データが合成されて画像データが生成される。
【０１２４】
以下に、データ信号受信部３の動作について詳細に説明する。
【０１２５】
（復号化器３３の処理）
復号化器１は、現在出力中の上位部分データを記憶する内部メモリと、未出力の上位データ数を記憶するカウンタとを有しており、初期状態では、現在出力中の上位部分データ：なし、未出力の上位部分データ数：０に設定されている。
【０１２６】
（１）状態１のデータを受け取った場合
（１−１）未出力の上位部分データ数が「０」で、バッファメモリ３５中にデータがないとき
復号化器３３は、タイミングコントローラ５から受け取った転送画像データＩＤの上位ｑビットを、出力画像データの上位ｑビットに設定すると共に、現在出力中の上位部分データに設定する。このとき、未出力の上位部分データ数は、「０」のまま変更しない。
【０１２７】
（１−２）未出力の上位部分データ数が「０」で、バッファメモリ３５中にデータがあるとき
復号化器３３は、バッファメモリ３５から上位部分データ値とその連続データ個数を読み出して、読み出された部分データ値を、出力画像データの上位ｑビットに設定すると共に現在出力中の上位部分データに設定する。また、読み出された連続データ個数から「１」減じた数を、未出力の上位部分データ数に設定する。
【０１２８】
（１−３）未出力の上位部分データ数が１以上のとき
復号化器３３は、タイミングコントローラ５から受け取った転送画像データＩＤの上位ｑビットを、上位部分データ値としてバッファメモリ３５に格納し、”１”を連続データ個数として格納する。また、現在出力中の上位部分データを出力画像データの上位ｑビットに設定し、未出力の上位部分データ数を「１」だけ減らす。
【０１２９】
（２）状態２のデータを受け取った場合
（２−１）バッファメモリ３５中にデータがないとき
復号化器３３は、現在出力中の上位部分データを出力画像データの上位ｑビットに設定し、タイミングコントローラ５から受け取った転送画像データＩＤの上位ｑビットによって表現される数から「２」減じた数を、未出力の上位部分データ数に設定する。
【０１３０】
（２−２）バッファメモリ３５中にデータがあるとき
復号化器３３は、バッファメモリ３５に最後に格納された連続するデータの個数を、タイミングコントローラ５から受け取った転送画像データＩＤの上位ｑビットによって表現される数に書き換える。また、現在出力中の上位部分データを出力画像データの上位ｑビットに設定し、未出力の上位部分データ数を「１」減らす。
【０１３１】
（３）状態３のデータを受け取った場合、またはデータの受け取りがない場合
（３−１）未出力の上位部分データ数が「０」で、バッファメモリ３５中にデータがないとき
出力処理完了であるため、復号化器３３は、完了通知を転送制御部３１に通知する。
【０１３２】
（３−２）未出力の上位部分データ数が「０」で、バッファメモリ３５中にデータがあるとき
復号化器３３は、バッファメモリ３５から上位部分データ値とその連続データ個数を読み出して、読み出された部分データ値を、出力画像データの上位ｑビットに設定すると共に、現在出力中の上位部分データに設定する。また、読み出された連続するデータの個数から「１」減じた数を、未出力の上位部分データ数に設定する。
【０１３３】
（３−３）未出力の上位部分データ数が「１」以上のとき
復号化器３３は、現在出力中の上位部分データを出力画像データの上位ｑビットに設定し、未出力の上位部分データ数を「１」減らす。
【０１３４】
（復号化器３４の処理）
（１）状態１または状態２のデータを受け取った場合
復号化器３４は、タイミングコントローラ５から受け取った転送画像データＩＤの下位ｑビットを出力画像データの下位ｑビットに設定する。
【０１３５】
（２）状態３のデータを受け取った場合
復号化器３４は、タイミングコントローラ５から受け取った転送画像データＩＤの上位ｑビットをバッファメモリ３６に格納すると共に、下位ｑビットをバッファメモリ３６に格納する。バッファメモリ３６から下位部分データ値を読み出して、読み出された部分データ値を出力画像データの下位ｑビットに順次設定する。
【０１３６】
（３）データの受け取りがない場合
（３−１）バッファメモリ３６中にデータがあり、かつ、転送制御部３１から復号化器３３の完了通知を受け取っていない場合
復号化器３４は、バッファメモリ３６から下位部分データ値を読み出して、読み出された部分データ値を出力画像データの下位ｑビットに設定する。
【０１３７】
（３−２）バッファメモリ３６中にデータがないか、または、転送制御部３１から復号化器３３の完了通知を受け取っている場合
復号化器３４による出力処理が完了される。
（具体例）
以下に、本実施形態のデータ信号受信部３ａによる一連の処理について、具体的な一例を挙げて詳細に説明する。復号化器３３による上位部分データ処理と、復号化器３４による下位部分データ処理とのうち復号化器３３の処理から説明する。
【０１３８】
（復号化器３３の処理）
図７に示す転送画像データＩＤが復号化器３３に入力されると、図８に示す上位部分データ値が出力される。この手順を詳細に説明すると、以下のようになる。
【０１３９】
転送開始前に、未出力の上位部分データ数が「０」に初期化される。
【０１４０】
まず、復号化器３３は、１個目の転送画像データとして、状態１のデータ”００１  １１０”を受け取る。このとき、未出力の上位部分データ数は”０”で、バッファメモリ３５中にもデータがない。よって、データ”００１  １１０”の上位３ビットである”００１”が出力画像データの上位３ビットとして設定される。また、現在出力中の上位部分データも”００１”に設定される。
【０１４１】
次に、復号化器３３は、２個目の転送画像データとして、状態２のデータ”１１１  １０１”を受け取る。このとき、バッファメモリ３５中にはデータがない。よって、現在出力中の上位部分データである”００１”が出力画像データの上位３ビットとして設定される。また、受け取った値の上位３ビットは”７”であり、７から２を減じた数である”５”が未出力の上位部分データ数に設定される。
【０１４２】
さらに、復号化器３３は、３個目の転送画像データとして、状態１のデータ”０００  １１１”を受け取る。このとき、未出力の上位部分データ数は”５”であり、１以上である。よって、バッファメモリ３５にデータ”０００  １１１”の上位３ビットである”０００”が上位部分データ値として格納される。また、”１”が連続するデータの個数として格納される。さらに、現在出力中の上位部分データである”００１”が出力画像データの上位３ビットとして設定される。未出力の上位部分データ数は、”５”から１を減じた数である”４”に設定される。
【０１４３】
さらに、復号化器３３は、４個目の転送画像データとして、状態１のデータ”００１  １００”を受け取る。このとき、未出力の上位部分データ数は”４”であり、１以上である。よって、バッファメモリ３５にデータ”００１  １００”の上位３ビットである”００１”が上位部分データ値として格納される。また、”１”が連続するデータの個数として格納される。さらに、現在出力中の上位部分データである”００１”が出力画像データの上位３ビットとして設定される。未出力の上位部分データ数は、”４”から”１”を減じた数である”３”に設定される。
【０１４４】
さらに、復号化器３３は、５個目の転送画像データとして、状態２のデータ”１００  １１０”を受け取る。このとき、バッファメモリ３５には二つのデータが格納されている。バッファメモリ３５に最後に格納された連続するデータの個数”１”が、受け取った値の上位３ビットによって表現される”４”に書き換えられる。さらに、現在出力中の上位部分データである”００１”が、出力画像データの上位３ビットとして設定される。未出力の上位部分データ数は、”３”から”１”を減じた数である”２”に設定される。
【０１４５】
さらに、復号化器３３は、６個目の転送画像データとして、状態３のデータ”０１０  ０００”を受け取る。このとき、未出力の上位部分データ数は”２”であり、１以上である。したがって、現在出力中の上位部分データである”００１”が出力画像データの上位３ビットとして設定される。未出力の上位部分データ数は、”２”から”１”を減じた数である”１”に設定される。
【０１４６】
さらに、復号化器３３は、７個目の転送画像データとして、状態３のデータ”１１１  ０１０”を受け取る。このとき、未出力の上位部分データ数は”１”であり、１以上である。したがって、現在出力中の上位部分データである”００１”が出力画像データの上位３ビットとして設定される。未出力の上位部分データ数は、”１”から”１”を減じた数である”０”に設定される。
【０１４７】
さらに、復号化器３３は、８個目の転送画像データとして、状態３のデータ”０１１  ０１０”を受け取る。このとき、未出力の上位部分データ数は”０”であり、バッファメモリ３５にはデータが格納されている。したがって、バッファメモリ３５から上位部分データ値”０００”と連続するデータの個数”１”が読み出され、読み出された部分データ値”０００”が出力画像データの上位３ビットとして設定されると共に、現在出力中の上位部分データとして設定される。読み出された連続するデータの個数”１”から”１”を減じた数”０”が未出力の上位部分データ数として設定される。
【０１４８】
さらに、復号化器３３は、９個目の転送画像データとして、状態３のデータ”１００  ０００”を受け取る。このとき、未出力の上位部分データ数は「０」であり、バッファメモリ３５にはデータが格納されている。したがって、バッファメモリ３５から上位部分データ値”００１”とこれに連続するデータの個数４が読み出され、読み出された部分データ値”００１”が出力画像データの上位３ビットとして設定されると共に、現在出力中の上位部分データとして設定される。読み出された連続するデータの個数”４”から”１”を減じた数”３”が未出力の上位部分データ数として設定される。
【０１４９】
次のタイミングでは、復号化器３３によるデータの受け取りは完了している。このとき、未出力の上位部分データ数は”３”であり、１以上である。したがって、現在出力中の上位部分データである”００１”が出力画像データの上位３ビットとして設定される。未出力の上位部分データ数は、”３”から”１”を減じた数である”２”に設定される。
【０１５０】
更に次のタイミングでも、復号化器３３によるデータの受け取りは完了している。このとき、未出力の上位部分データ数は”３”であり、１以上である。したがって、現在出力中の上位部分データである”００１”が出力画像データの上位３ビットとして設定される。未出力の上位部分データ数は、”２”から”１”を減じた”１”が設定される。
【０１５１】
更に次のタイミングでも、復号化器３３によるデータの受け取りは完了している。このとき、未出力の上位部分データ数は”１”であり、１以上である。したがって、現在出力中の上位部分データである”００１”が出力画像データの上位３ビットとして設定される。未出力の上位部分データ数は”１”から”１”を減じた”０”に設定される。
【０１５２】
更に次のタイミングでも、データの受け取りは完了している。このとき、未出力の上位部分データ数は”０”である。よって、復号化器３３の処理は完了され、処理完了を転送制御部３１に通知する。
【０１５３】
（復号化器３４の処理）
図７に示す転送画像データが復号化器３４に入力されると、図９に示す下位部分データ値が出力される。この手順を詳細に説明すると、以下のようになる。
【０１５４】
まず、復号化器３４は、１個目の転送画像データとして、状態１のデータ”００１  １１０”を受け取る。これにより、受け取った値の下位３ビットである”１１０”が出力画像データの下位３ビットに設定される。
【０１５５】
次に、復号化器３４は、２個目の転送画像データとして、状態２のデータ”１１１  １０１”を受け取る。これにより、受け取った値の下位３ビットである”１０１”が出力画像データの下位３ビットに設定される。
【０１５６】
さらに、復号化器３４は、３個目の転送画像データとして、状態１のデータ”０００  １１１”を受け取る。これにより、受け取った値の下位３ビットである”１１１”が出力画像データの下位３ビットに設定される。
【０１５７】
さらに、復号化器３４は、４個目の転送画像データとして、状態１のデータ”００１  １００”を受け取る。これにより、受け取った値の下位３ビットである”１００”が出力画像データの下位３ビットに設定される。
【０１５８】
さらに、復号化器３４は、５個目の転送画像データとして、状態２のデータ”１００  １１０”を受け取る。これにより、受け取った値の下位３ビットである”１１０”が出力画像データの下位３ビットに設定される。
【０１５９】
さらに、復号化器３４は、６個目の転送画像データとして、状態３のデータ”０１０  ０００”を受け取る。このとき、受け取った値の上位３ビットである”０１０”がバッファメモリ３６に格納され、次に、受け取った値の下位３ビットである”０００”がバッファメモリ３６に格納される。バッファメモリ３６から下位部分データ値である”０１０”が読み出され、読み出された部分データ値”０１０”が出力画像データの下位３ビットとして設定される。
【０１６０】
さらに、復号化器３４は、７個目の転送画像データとして、状態３のデータ”１１１  ０１０”を受け取る。このとき、受け取った値の上位３ビットである”１１１”がバッファメモリ３６に格納され、次に、受け取った値の下位３ビットである”０１０”がバッファメモリ３６に格納される。バッファメモリ３６から下位部分データ値である”０００”が読み出され、読み出された部分データ値”０００”が出力画像データの下位３ビットとして設定される。
【０１６１】
さらに、復号化器３４は、８個目の転送画像データとして、状態３のデータ”０１１  ０１０”を受け取る。このとき、受け取った値の上位３ビットである”０１１”がバッファメモリ３６に格納され、次に、受け取った値の下位３ビットである”０１０”がバッファメモリ３６に格納される。バッファメモリ３６から下位部分データ値である”１１１”が読み出され、読み出された部分データ値”１１１”が出力画像データの下位３ビットとして設定される。
【０１６２】
さらに、復号化器３４は、９個目の転送画像データとして、状態３のデータ”１００  ０００”を受け取る。このとき、受け取った値の上位３ビットである”１００”がバッファメモリ３６に格納され、次に、受け取った値の下位３ビットである”０００”がバッファメモリ３６に格納される。バッファメモリ３６から下位部分データ値である”０１０”が読み出され、読み出された部分データ値”０１０”が出力画像データの下位３ビットとして設定される。
【０１６３】
次のタイミングでは、復号化器３４によるデータの受け取りは完了しており、バッファメモリ３６にはデータが格納されている。したがって、バッファメモリ３６から下位部分データ値である”０１１”が読み出され、読み出された部分データ値”０１１”が出力画像データの下位３ビットとして設定される。
【０１６４】
更に次のタイミングでも、復号化器３４によるデータの受け取りは完了しており、バッファメモリ３６にはデータが格納されている。したがって、バッファメモリ３６から下位部分データ値である”０１０”が読み出され、読み出された部分データ値”０１０”が出力画像データの下位３ビットとして設定される。
【０１６５】
更に次のタイミングでも、復号化器３４によるデータの受け取りは完了しており、バッファメモリ３６にはデータが格納されている。したがって、バッファメモリ３６から下位部分データ値である”１００”が読み出され、読み出された部分データ値”１００”が出力画像データの下位３ビットとして設定される。
【０１６６】
更に次のタイミングでも、復号化器３４によるデータの受け取りは完了しており、バッファメモリ３６にはデータが格納されているが、転送制御部３１から復号化器３３の上位部分データ処理の完了通知を受け取るため、復号化器３４による下位部分データ処理は完了される。
【０１６７】
このようにして、データ信号送信部５ａから９回の転送回数で受信したデータから、データ信号受信部３ａによって、１２個の画素データが復元される。
【０１６８】
以上のように、本実施形態によれば、データの送出部側において、転送データが分離されて各部分データとして扱われ、上位ビットに相当する部分データにおいて同じ部分データ値が連続する比率が高くなり、信号変化の回数を減らすことができる。また、この同じ値が連続する部分データの情報を、その部分データの値と、これに連続するデータ個数の組として送信することによって、上位ビットに相当する部分データの転送回数を減らすことができる。
【０１６９】
また、本実施形態によれば、上位ビットに相当する部分データの転送回数が減ることにより、下位ビットに相当する部分データよりも早く送出が完了する。よって、下位ビットに相当する部分データの転送のために、上位ビットに相当する部分データの転送に用いられる伝送線も用いることが可能となり、１ライン分の画像データの転送回数全体を減らすことができる。
【０１７０】
また、本実施形態によれば、データの受信側において、受信データが複数の部分データに分離され、部分データと、これに連続する個数とが受信された場合に、同じ部分データを連続する個数分だけ発生させることにより、送信側に入力された元のデータを正しく再現することができる。
【０１７１】
なお、以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１７２】
本発明は、複数ビットの転送データを伝送線を介して転送するデータ転送装置およびデータ転送方法、このデータ転送装置を用いたマトリクス型液晶表示装置などの画像表示装置の分野において、フレームメモリなどを用いたり、複雑な圧縮伸長処理を行うことなく、データの信号処理回数を減らすと共にデータ転送回数を減らして、データ転送に必要な消費電力を削減して、機器の動作時間を延長させることができる。
【図面の簡単な説明】
【０１７３】
【図１】本発明の一実施形態である液晶表示装置の要部構成例を示すブロック図である。
【図２】図１の画像表示装置における画素構成例を示す等価回路図である。
【図３】（ａ）は、図１のデータ信号送信部の構成例を示すブロック図であり、（ｂ）は、図１のデータ信号受信部の構成例を示すブロック図である。
【図４】図１の画像表示装置の動作を説明するための図であって、転送される画素データおよび画素データ分離部の出力結果を示す図である。
【図５】図４の転送データ例において、データ信号送信部内の上位部分データ用のバッファメモリに格納されるデータを示す図である。
【図６】図４の転送データ例において、データ信号送信部内の下位部分データ用のバッファメモリに格納されるデータを示す図である。
【図７】図４の転送データ例において、データ信号受信部が受け取るデータ例を示す図である。
【図８】図４の転送データ例において、データ信号受信部が生成する上位部分データを示す図である。
【図９】図４の転送データ例において、データ信号受信部が生成する下位部分データを示す図である。
【図１０】従来の画像表示装置の要部構成例を示すブロック図である。
【符号の説明】
【０１７４】
１  液晶表示装置
２  画素アレイ
３  データ信号線駆動回路
３ａ  データ信号受信部
３ｂ  データ信号線駆動部
４  走査信号線駆動回路
５  タイミングコントローラ
５ａ  データ信号送信部
５ｂ  タイミング制御部
３１，５１  転送制御部
３３，３４  復号化器
３５，３６，５５，５６  バッファメモリ
５２  画素データ分離部
５３，５４  符号化器
５７  転送データ合成部
【図１】
2006163201.tif 000003
【図２】
2006163201.tif 000004
【図３】
2006163201.tif 000005
【図４】
2006163201.tif 000006
【図５】
2006163201.tif 000007
【図６】
2006163201.tif 000008
【図７】
2006163201.tif 000009
【図８】
2006163201.tif 000010
【図９】
2006163201.tif 000011
【図１０】
2006163201.tif 000012